(57)【特許請求の範囲】
【請求項１】
第１のゴルフクラブ、第２のゴルフクラブ、および第３のゴルフクラブを少なくとも有するゴルフクラブセットにおいて、
ブレード長は、ホーゼル軸および地面の交点と、トウ端部との間の水平方向の長さとして定義され、ホーゼル長は、上記ホーゼル軸および上記地面の上記交点と、上記ホーゼルの上側端部との間の長さとして定義され、スコアライン幅は、複数のスコアラインを有するスコアライン領域のトウ側端部と上記スコアライン領域のヒール側端部との間の水平方向の長さとして定義され、スコアライン・トウ幅は、上記トウ端部と上記スコアライン領域の上記トウ側端部との間の水平方向の長さとして定義され、
上記第１、第２、および第３のクラブヘッドは、各々、ヒール、トウ、上側表面、下側表面、ホーゼル、およびフェース中心を具備する前面フェースを有し、
上記第１のゴルフクラブは、第１のフェースインサート開口および第１の空洞を含む第１のクラブヘッド本体と、上記第１のフェースインサート開口に結合されて上記第１の空洞を包囲する第１のフェースインサートとを有し、上記第１のクラブヘッド本体および上記第１のフェースインサートはスチールにより形成され、上記第１のクラブヘッド本体の重量は１１０グラムから１２０グラムであり、上記第１のフェースインサートの重量は３０グラムから４５グラムであり、上記第１の空洞に第１のトウウエイト部材および第１のヒールウエイト部材が設けられ、上記第１のトウウエイト部材の重量が３５グラムから５５グラムであり、上記第１のヒールウエイトと部材の重量が３０グラムから３５グラムであり、
上記第２のゴルフクラブは、第２のフェースインサート開口および第２の空洞を含む第２のクラブヘッド本体と、上記第２のフェースインサート開口に結合されて上記第２の空洞を包囲する第２のフェースインサートとを有し、上記第２のクラブヘッド本体および上記第２のフェースインサートはスチールにより形成され、上記第２のクラブヘッド本体の重量は１１５グラムから１４５グラムであり、上記第２のフェースインサートの重量は３０グラムから４５グラムであり、上記第２の空洞に第２のトウウエイト部材および第２のヒールウエイト部材が設けられ、上記第２のトウウエイト部材の重量が５０グラムから７０グラムであり、上記第２のヒールウエイトと部材の重量が３５グラム以下であり、
上記第１のゴルフクラブは、１５から２５度の間の第１のロフト角（ＬＡ１）、第１のブレード長、第１のホーゼル長、第１のスコアライン幅、および第１のスコアライン・トウ幅を有し、
上記第２のゴルフクラブは、２６から３５度の間の第２のロフト角（ＬＡ２）、第２のブレード長、第２のホーゼル長、第２のスコアライン幅、および第２のスコアライン・トウ幅を有し、
上記第３のゴルフクラブは、３６度またはそれ以上の第３のロフト角（ＬＡ３）、第３のブレード長、第３のホーゼル長、第３のスコアライン幅、および第３のスコアライン・トウ幅を有し、
上記第１、第２、および第３のブレード長はほぼ一定であり、上記第２のホーゼル長は上記第１のホーゼル長より大きく、上記第３のホーゼル長は上記第２のホーゼル長より大きく、
上記第２のスコアライン幅は上記第１のスコアライン幅より小さく、上記第３のスコアライン幅は上記第２のスコアライン幅より小さく、
上記第２のスコアライン・トウ幅は上記第１のスコアライン・トウ幅より大きく、
上記第３のスコアライン・トウ幅は上記第２のスコアライン・トウ幅より大きいことを特徴とするゴルフクラブセット。
【発明の詳細な説明】
【技術分野】
【０００１】
この発明は全般的にはアイアンゴルフクラブのセットに関し、より具体的には重要なタングステン重み付けを有するアイアンゴルフクラブのセットに関する。
【背景技術】
【０００２】
「アイアン」ゴルフクラブの慣用的なセットにおいては、クラブの各々は、クラブヘッドを一端に結合させ、グリップを他端に結合させるシャフトを含む。クラブヘッドはゴルフボールを打撃するためのフェースを含む。フェースと鉛直面との間の角度は「ロフト」と呼ばれる。一般的に、セット中のゴルフクラブのロフトが大きくなると、ゴルフボールを打撃したときの打ち上げ角度が大きくなり、距離が短くなる。
【０００３】
アイアンのセットは一般的には３番から９番として指定される個別のアイアンとピッチングウェッジとを含む。アイアンセットは一般的には、ロブウェッジ、ギャップウェッジ、および／またはサンドウェッジのような一連のウェッジによって補完される。セットは１番アイアンおよび２番アイアンを含んで良いけれども、一般的には、これらのクラブはセットと別に販売される。クラブの長さは、クラブヘッドのロフトおよび重心とともに、衝撃時のボール打ち上げ条件に種々の性能特性を付与する。ボールの初期軌道は、衝突点と、軌道の頂点すなわちピークとの間を延びる。一般的に、３番アイアンのようなロングアイアンのボール軌道は、打ち上げ角度が小さくクラブから離れるときのボール速度が大きいので、より突き刺さるような、かつ、低い軌道である。８番アイアンのようなショートアイアン、またはピッチングウェッジは、ロングアイアンで打撃されたボールの軌道に較べて、実質的に急勾配で、突き刺すようでない軌道をもたらす。ロングアイアンのボール飛行の最高点は、ショートアイアンのボール飛行の最高点より低い。５番アイアンのようなミッドアイアンは、ロングアイアンおよびショートアイアンによって打撃されたボールで示される初期軌道の間の初期軌道をもたらす。
【発明の概要】
【０００４】
この発明はゴルフクラブセットに向けられており、このゴルフクラブセットは、ロフトが約１５から２５度の第１のクラブヘッド（ロングアイアン）、ロフトが約２６から約３５度の第２のクラブヘッド（ミッドアイアン）、およびロフトが３６度またはそれ以上の第３のクラブヘッド（ショートアイアン）を少なくとも有する。このセットにおいて、上記第１、第２、および第３のクラブヘッドは、各々、ヒール、トウ、トップライン、ソール、ホーゼル、およびフェース中心を具備する前面フェースを有する。各クラブヘッドは、先行するクラブヘッドに較べて少なくとも５グラムだけ異なる重量を有する。さらに当該セットは、タングステンヒール部材およびタングステントウ部材を含み、上記タングステンヒール部材およびタングステントウ部材の合計重量が上記クラブヘッドの重量の５０％より大きい少なくとも１つのゴルフクラブを含む。より好ましくは、ロングアイアンおよびミッドアイアンの各々はゴルフクラブ重量の少なくとも５０％をなすタングステンウエイト部材を有する。
【０００５】
また、この発明は、アイアンセットに向けられ、このアイアンセットにおいて、ロングアイアンおよびミッドアイアンは各々タングステンヒール部材およびタングステントウ部材を具備し、上記タングステンヒール部材および上記タングステントウ部材はあわせて１３５グラムまたはそれ以上の重量を有する。好ましくは、ロングアイアンおよびミッドアイアンはチタンおよびタングステンから構成され、上記タングステンの部分は上記クラブヘッドの体積の２５％より多くの部分を形成する。好ましくは、ショートアイアンはチタンおよびスチール部分から構成され、上記スチール部分は上記クラブヘッドの重量の５０％および７０％の間の重量をなす。
【０００６】
この発明はゴルフクラブセットに向けられ、このゴルフクラブセットは、ロフトが約１５から２５度の第１のクラブヘッド、ロフトが約２６から約３５度の第２のクラブヘッド、およびロフトが３６度またはそれ以上の第３のクラブヘッドを少なくとも有し、各クラブヘッドは先行するクラブヘッドのクラブヘッド重量に較べて少なくとも５グラム異なるクラブヘッド重量を有し、上記クラブヘッドの少なくとも１つが、スチール本体部材およびスチールフェースインサートを有し、上記スチール本体部材および上記スチールフェースインサートの重量があわせて上記クラブヘッド総重量の７５％より少ない。好ましくは、当該クラブヘッドがタングステンヒール部材およびタングステントウ部材を有し、上記タングステンヒール部材および上記タングステントウ部材の重量があわせて上記クラブヘッド重量の２５％より大きい。より好ましくは、上記タングステンヒール部材および上記タングステントウ部材はあわせて７０グラムまたはそれ以上の重量を有する。
【０００７】
この発明の好ましい実施例において、ロングアイアンおよびミッドアイアンはスチールおよびタングステンを有し、上記タングステンの部分は上記クラブヘッドの実体積の少なくとも約２０％を形成する。さらに、少なくとも１つのショートアイアンは、スチールおよびタングステンを有し、上記タングステンの部分は上記クラブヘッドの重量の少なくとも約２０％を有して良い。
【０００８】
この発明は、また、第１のブレード長、第１のホーゼル長、および第１のスコアライン幅を具備するロングアイアン、第２のブレード長、第２のホーゼル長、および第２のスコアライン幅を具備するミッドアイアン、並びに、第３のブレード長、第３のホーゼル長、および第３のスコアライン幅を具備するショートアイアンを少なくとも有するゴルフクラブセットを実現し、ここで、ブレード長はほぼ一定であり、第２のホーゼル長は第１のホーゼル長より大きく、第３のホーゼル長は第２のホーゼル長より大きい。また、第２のスコアライン幅は好ましくは第１のスコアライン幅より小さく、第３のスコアライン幅は第２のスコアライン幅より小さい。好ましい実施例において、ロングアイアンは第１のトウ高さを具備し、ミッドアイアンは第１のトウ高さより大きな第２のトウ高さを具備し、ショートアイアンは第２のトウ高さより大きな第３のトウ高さを具備する。さらに、ロングアイアンは第１のソール幅を具備し、ミッドアイアンは第１のソール幅より小さな第２のソール幅を具備し、ショートアイアンは第２のソール幅より小さな第３のソール幅を具備して良い。
【０００９】
この発明の好ましい実施例において、ロングアイアンは第１のタングステントウ部材を具備し、ミッドアイアンは第１のタングステントウ部材より重量が大きな第２のタングステントウ部材を具備し、ショートアイアンは第２のタングステントウ部材より重量が大きな第３のタングステントウ部材を具備する。これと逆に、好ましい実施例において、ロングアイアンは第１のタングステンヒール部材を具備し、ミッドアイアンは第１のタングステンヒール部材より重量が小さな第２のタングステンヒール部材を具備する。
【図面の簡単な説明】
【００１０】
【図１】この発明に従うアイアンの背面図である。
【図２】図１のアイアンの斜視図である。
【図３】この発明の他の実施例に従うロングアイアンの正面図である。
【図４】この発明に従うロングアイアンの本体部材の正面図である。
【図５】この発明に従うミッドアイアンの本体部材の正面図である。
【図６】この発明に従うショートアイアンの本体部材の正面図である。
【図７】この発明に従う他の実施例のショートアイアンの本体部材の正面図である。
【発明を実施するための形態】
【００１１】
添付図面に図説され以下に検討されるように、この発明は、改良された、アイアンタイプのゴルフクラブのセットに向けられており、ここでは、クラブはゴルフクラブヘッドの質量の重要部分を構成するタングステンウエイトを具備する。
【００１２】
図１および図２を参照すると、アイアン１０はヒール１２、トウ１４、ホーゼル１６、バックキャビティ１８、トップライン２０、およびソール２２を具備する。アイアンは、２つの主たる部品、すなわち、本体２４およびウエイト部材２６から成る。アイアンは、ホーゼル軸３２およびフェース中心ＦＣを含む。本体２４はチタン、または、より好ましくは、チタン合金から形成される。少なくともロングアイアンおよびミッドアイアンについては、ウエイト部材はトウウエイト部材２８およびヒールウエイト部材３０を含み、これらは、タングステンまたは、より好ましくは、タングステン合金から形成され、その比重は１５ｇ／ｃｍ３またはこれより大きい。このため、本体２４の比重は約４〜５ｇ／ｃｍ３であり、ウエイト部材の比重２６は約１５〜２０ｇ／ｃｍ３である。
【００１３】
表１は、この発明の実例に従うゴルフクラブの種々の測定値の事例的かつ非制約的な寸法を示す。以下に示す寸法はすべて、個々のアイアンの全体的な目的に合致するように調整できることを充分に意図している。
【表１】
0006367252.tif 000002
【００１４】
上の表１のデータを参照すると、この発明に従うアイアンセットは、ロフトが約１５から２５度のロングアイアンと、ロフトが約２６から３５度のミッドアイアンと、ロフトが３６またはそれ以上のショートアイアンとに分離できる。クラブの全重量はセットを通じて約２３５グラムから約２９０グラムに増加する。各クラブは好ましくは先行するアイアンより約５グラム大きな重量を有する。示すとおり、例えば、４番アイアンは３番アイアンより７グラム重い。したがって、重量はセットを通じて増加する。
【００１５】
アイアンの各々はチタン本体部材を含む。ロングアイアンおよびミッドアイアンは好ましくは図１および図２に示すようにタングステンウエイト部材２８および３０を具備する。ロングアイアンでは、チタン本体部材２４の重量は約１２０グラムより少なく、より好ましくは約１００グラムより少ない。トウウエイト部材２８およびヒールウエイト部材３０の重量は好ましくは約１３０グラムから１５０グラムである。したがって、タングステンウエイト部材はクラブの総重量の５０％より重い。
【００１６】
ミッドアイアンにおいては、チタン本体部材２４の重量は約１２０グラムより小さく、より好ましくは約１００グラムから約１１５グラムである。タングステントウウエイト部材２８およびヒールウエイト部材３０の重量は約１４０グラムから約１６０グラム、より好ましくは約１５０グラムである。したがって、タングステンウエイト部材は、クラブの総重量の５０％より重い。また当該タングステンウエイト部材２８および３０の重量は、ロングアイアン用のタングステンウエイト部材２８および３０の重量より大きい。
【００１７】
ショートアイアンにおいては、チタン本体部材２４の重量は約１２０グラムより小さく、より好ましくは約９０グラムから約１１０グラムである。トウウエイト部材２８およびヒールウエイト部材３０は好ましくはスチールから製造され、その重量は、好ましくは、約１６０グラムから約２００グラムであり、より好ましくは約１８０グラムである。したがって、スチールウエイト部材はクラブの総重量の５０％より重い。また当該スチールウエイト部材２８および３０の重量は、ロングアイアンおよびミッドアイアン用のタングステンウエイト部材２８および３０の重量より大きい。
【表２】
0006367252.tif 000003
【表３】
0006367252.tif 000004
【００１８】
図３に示し、上の表ＩＩＩに説明するように、この発明の他の実施例はセットを通じて実質的に等しいブレード長（ＢＬ）を有するアイアンのセットを含む。ＢＬは、ホーゼル軸（ＨＸ）と地面との交点から、トウ端部までの長さとして定義される。ただし、このセットにおいて、トウ高さ（ＴＨ）はセットを通じて徐々に大きくなる。そして、ミッドアイアンのＴＨはロングアイアンのＴＨより大きく、ショートアイアンのＴＨはミッドアイアンのＴＨより大きい。ＴＨは、フェース平面に平行でスコアラインと直角な平面におけるトウの前縁から頂部までの最大長さとして定義される。好ましくは、ＴＨは、クラブ１つ当たり、少なくとも０．３ｍｍだけ増加し、最も好ましくはクラブ１つ当たり、少なくとも０．４ｍｍだけ増加する。また、ＴＨは、好ましくは、ショートアイアンについては、少なくとも１ｍｍだけクラブ１つ当たり草加市、ロングアイアンおよびミッドアイアンについては、クラブ１つ当たり０．３ｍｍ〜０．６ｍｍだけ増加する。
【００１９】
さらに、ＢＬがセットを通じて実質的に一定であっても、スコアライン幅（ＳＬＷ）はセットを通じて徐々に減少し、スコラライン・トウ幅（ＳＬＴＷ）はセットを通じて徐々に増大する。より具体的には、ＳＬＷはクラブ１つあたり（またはロフト４度あたり）約０．１ｍｍだけ減少する。そして、ロングアイアンのＳＬＷはミッドアイアンのＳＬＷより大きく、ミッドアイアンのＳＬＷはショートアイアンのＳＬＷより大きい。さらに、ＳＬＴＷがセットを通じて徐々に増大するので、溝のないトウ領域もセットを通じて増大する。
【００２０】
さらに、この発明の好ましい実施例において、フェース中心から重心までの距離がセットを通じて徐々に大きくなる。そして、ＣＧ−Ｘｆｃが、ロングアイアンのフェース中心から２ｍｍ未満から、ショートアイアンのホーゼル方向にフェース中心から約３ｍｍへと徐々に増加する。
【００２１】
この発明の他の側面は、ホーゼル長ＨＬがセットを通じて大きくなることである。好ましくは、ホーゼル長は、クラブ１つ当たり（またはロフト４度あたり）約１ｍｍずつ増大しミッドアイアンのＨＬがロングアイアンのＨＬより大きく、ショートアイアンのＨＬがミッドアイアンのＨＬより大きくなるようになっている。また、図には示されないけれども、ソール幅はセットを通じて減少する。なぜならば、ソール幅は、図３の正面図に直角なクラブヘッドの中心におけるソールの幅であるからである。そのため、ミッドアイアンのソール幅はロングアイアンのソール幅より小さく、ショートアイアンのソール幅より大きい。好ましくは、ソール幅は、クラブ１つ当たり（またはロフト４度あたり）約０．３ｍｍずつ減少する。
【００２２】
図４〜図７に示すように、また、先の表に示すように、セットはロングアイアン１００、ミッドアイアン２００、第１のショートアイアン３００、および第２のショートアイアン４００を含む。図４において、ロングアイアン１００は、本体部材１１０、ヒール１１２、トウ１１４、ホーゼル１１６、およびソール１１８を含む。アイアン本体１１０はインサート開口１２０および空洞部分１２２を含む。フェースインサートは、図示しないけれども、インサート開口１２０に溶接され、空洞部分１２２を包囲する。本体部材１１０およびフェースインサートの双方は好ましくはスチールから形成される。空洞部分１２２の内部において、タングステントウウエイト部材１２４およびタングステンヒールウエイト部材１２６がトウ１１４およびヒール１１２の近傍にそれぞれ位置づけられて大きな慣性モーメントを形成する。先の表ＩＩに示すように、本体部材１１０の重量は好ましくは約１１０グラムから約１２０グラムであり、フェースインサートの重量は約３０グラムから約４５グラムである。ロングアイアン１００において、トウウエイト部材１２４の重量は好ましくは約３５から５５グラムである。好ましくは、トウウエイト部材１２４の重量はクラブごとに約５グラムずつ大きくなる。ヒールウエイト部材１２６の重量は好ましくは約３０グラムから３５グラムであり、好ましくは、クラブごとに約１または２グラムずつ小さくなる。好ましくは、トウウエイト部材１２４およびヒールウエイト部材１２６のタングステン重量はクラブヘッドの総重量の少なくとも２５％であり、クラブヘッド総固体体積の少なくとも１５％である。より具体的には、トウウエイト部材１２４およびヒールウエイト部材は総重量の約３０％またはそれ以上を有し、総固体体積の２０％である。好ましくはトウウエイト部材１２４はヒールウエイト部材１２６より大きな重量を有する。
【００２３】
図５に示し、また、先の表ＩＩに示すように、セットはミッドアイアン２００を含み、これは、本体部材２１０、ヒール２１２、トウ２１４、ホーゼル２１６、およびソール２１８を含む。アイアン本体２１０はインサート開口２２０および空洞部分２２２を含む。フェースインサートは、図示しないけれども、インサート開口２２０に溶接され、空洞部分２２２を包囲する。本体部材２１０およびフェースインサートの双方は好ましくはスチールから形成される。空洞部分２２２の内部において、タングステントウウエイト部材２２４およびタングステンヒールウエイト部材２２６がトウ２１４およびヒール２１２の近傍にそれぞれ位置づけられて大きな慣性モーメントを形成する。先の表ＩＩに示すように、本体部材２１０の重量は好ましくは約１１５グラムから約１４５グラムであり、フェースインサートの重量は約３０グラムから約４５グラムである。ミッドアイアン２００において、トウウエイト部材２２４の重量は好ましくは約５０から７０グラムである。好ましくは、トウウエイト部材２２４の重量はクラブごとに約５グラムずつ大きくなる。ヒールウエイト部材２２６の重量は好ましくは約３５グラムまたはそれ未満であり、好ましくは、クラブごとにその重量が小さくなる。好ましくは、トウウエイト部材２２４およびヒールウエイト部材２２６のタングステン重量はクラブヘッドの総重量の少なくとも２５％であり、クラブヘッド総固体体積の少なくとも１５％である。より具体的には、トウウエイト部材２２４およびヒールウエイト部材２２６は総重量の約３０％またはそれ以上を有し、総固体体積の２０％である。好ましくはトウウエイト部材２２４はヒールウエイト部材２２６より大きな重量を有し、より好ましくは重量の約２倍である。
【００２４】
図６に示し、また、先の表ＩＩに示すように、セットはショートアイアン３００を含み、これは、本体部材３１０、ヒール３１２、トウ３１４、ホーゼル３１６、およびソール３１８を含む。アイアン本体３１０はインサート開口３２０および空洞部分３２２を含む。フェースインサートは、図示しないけれども、インサート開口３２０に溶接され、空洞部分３２２を包囲する。本体部材３１０およびフェースインサートの双方は好ましくはスチールから形成される。空洞部分３２２の内部において、タングステントウウエイト部材３２４およびタングステンヒールウエイト部材３２６がトウ３１４およびヒール３１２の近傍にそれぞれ位置づけられて大きな慣性モーメントを形成する。先の表ＩＩに示すように、本体部材３１０の重量は好ましくは約１５０グラムから約２００グラムであり、フェースインサートの重量は約３０グラムから約４５グラムである。ショートアイアン３００において、トウウエイト部材３２４の重量は好ましくは約５５から７０グラムである。好ましくは、好ましくは、トウウエイト部材３２４のタングステン重量はクラブヘッドの総重量の少なくとも２０％であり、クラブヘッド総固体体積の少なくとも１０％である。
【００２５】
図７に示し、また、先の表ＩＩに示すように、セットはショートアイアン４００を含み、これは、本体部材４１０、ヒール４１２、トウ４１４、ホーゼル４１６、およびソール４１８を含む。アイアン本体４１０はインサート開口４２０を含む。フェースインサートは、図示しないけれども、インサート開口４２０に溶接される。ショートアイアン４００は好ましくは実質的にソリッドであり、タングステンウエイトを含まない。
【００２６】
ここに開示する発明の図説の実施例が上述の目的を実現することが明らかであるけれども、多数の変形例および他の実施例が当業者により考案できることを理解されたい。したがって、添付の特許請求の範囲が変形例および実施例をカバーすることを意図され、この発明の趣旨および範囲内に該当する。
以下、ここで説明した技術的特徴について列挙する。
［技術的特徴１］
ロフトが約１５から２５度の第１のクラブヘッド、ロフトが約２６から約３５度の第２のクラブヘッド、およびロフトが３６度またはそれ以上の第３のクラブヘッドを少なくとも有するゴルフクラブセットにおいて、
上記第１、第２、および第３のクラブヘッドは、各々、ヒール、トウ、トップライン、ソール、ホーゼル、およびフェース中心を具備する前面フェースを有し、各クラブヘッドは、先行するクラブヘッドに較べて少なくとも５グラムだけ異なる重量を有し、かつ上記クラブヘッドの少なくとも１つがタングステンヒール部材およびタングステントウ部材を含み、上記タングステンヒール部材およびタングステントウ部材の合計重量が上記クラブヘッドの重量の５０％より大きいことを特徴とするゴルフクラブセット。
［技術的特徴２］
上記第１および第２のクラブヘッドは各々タングステンヒール部材およびタングステントウ部材を具備し、上記タングステンヒール部材および上記タングステントウ部材はあわせて１３５グラムまたはそれ以上の重量を有する技術的特徴１記載のゴルフクラブセット。
［技術的特徴３］
上記第１および第２のゴルフクラブヘッドはチタンおよびタングステンから構成され、上記タングステンの部分は上記クラブヘッドの体積の２５％より多くの部分を形成する技術的特徴１記載のゴルフクラブセット。
［技術的特徴４］
上記第３のクラブはチタンおよびスチール部分から構成され、上記スチール部分は上記クラブヘッドの重量の５０％および７０％の間の重量をなす技術的特徴２記載のゴルフクラブセット。
［技術的特徴５］
ロフトが約１５から２５度の第１のクラブヘッド、ロフトが約２６から約３５度の第２のクラブヘッド、およびロフトが３６度またはそれ以上の第３のクラブヘッドを少なくとも有するゴルフクラブセットにおいて、
上記第１、第２、および第３のクラブヘッドは、各々、実体積、ヒール、トウ、トップライン、ソール、ホーゼル、およびフェース中心を具備する前面フェースを有し、上記クラブヘッドの少なくとも１つがクラブヘッド総重量を有し、スチール本体部材およびスチールフェースインサートを有し、上記スチール本体部材および上記スチールフェースインサートの重量があわせて上記クラブヘッド総重量の７５％より少なく、上記クラブヘッドの上記少なくとも１つがタングステンヒール部材およびタングステントウ部材を有し、上記タングステンヒール部材および上記タングステントウ部材の重量があわせて上記クラブヘッド重量の２５％より大きいことを特徴とするゴルフクラブセット。
［技術的特徴６］
上記第１および上記第２のクラブヘッドは各々スチール本体部材およびスチールフェースインサートを有し、タングステンヒール部材およびタングステントウ部材を具備し、上記タングステンヒール部材および上記タングステントウ部材があわせて７０グラムまたはそれ以上の重量を有する技術的特徴５記載のゴルフクラブセット。
［技術的特徴７］
上記第１および上記第２のクラブヘッドはスチール部分およびタングステン部分を有し、上記タングステン部分は上記クラブヘッドの総体積の少なくとも約２０％を形成する技術的特徴５記載のゴルフクラブセット。
［技術的特徴８］
上記第３のクラブはスチール部分およびタングステン部分を有し、上記タングステン部分は上記クラブヘッドの重量の少なくとも約２０％を有する技術的特徴７記載のゴルフクラブセット。
［技術的特徴９］
第１のゴルフクラブ、第２のゴルフクラブ、および第３のゴルフクラブを少なくとも有するゴルフクラブセットにおいて、
上記第１、第２、および第３のクラブヘッドは、各々、ヒール、トウ、上側表面、下側表面、ホーゼル、およびフェース中心を具備する前面フェースを有し、
上記第１のゴルフクラブは、１５から２５度の間の第１のロフト角（ＬＡ１）、第１のブレード長、第１のホーゼル長、および第１のスコアライン幅を有し、
上記第２のゴルフクラブは、２６から３５度の間の第２のロフト角（ＬＡ２）、第２のブレード長、第２のホーゼル長、および第２のスコアライン幅を有し、
上記第３のゴルフクラブは、３６度またはそれ以上の第３のロフト角（ＬＡ３）、第３のブレード長、第３のホーゼル長、および第３のスコアライン幅を有し、
上記第１、第２、および第３のブレード長はほぼ一定であり、上記第２のホーゼル長は上記第１のホーゼル長より大きく、上記第３のホーゼル長は上記第２のホーゼル長より大きく、
上記第２のスコアライン幅は上記第１のスコアライン幅より小さく、上記第３のスコアライン幅は上記第２のスコアライン幅より小さいことを特徴とするゴルフクラブセット。
［技術的特徴１０］
上記第１のゴルフクラブは第１のトウ高さを有し、上記第２のゴルフクラブヘッドは上記第１のトウ高さより大きな第２のトウ高さを有し、上記第３のゴルフクラブヘッドは上記第２のトウ高さより大きな第３のトウ高さを有する技術的特徴９記載のゴルフクラブセット。
［技術的特徴１１］
上記第１のゴルフクラブは第１のソール幅を有し、上記第２のゴルフクラブヘッドは上記第１のソール幅より小さな第２のソール幅を有し、上記第３のゴルフクラブヘッドは上記第２のソール幅より小さな第３のソール幅を有する技術的特徴９記載のゴルフクラブセット。
［技術的特徴１２］
上記第１のゴルフクラブは第１のタングステントウ部材を具備し、上記第２のゴルフクラブは上記第１のタングステントウ部材より重量が大きな第２のタングステントウ部材を具備し、上記第３のゴルフクラブは上記第２のタングステントウ部材より重量が大きな第３のタングステントウ部材を具備する技術的特徴９記載のゴルフクラブセット。
［技術的特徴１３］
上記第１のゴルフクラブは第１のタングステンヒール部材を具備し、上記第２のゴルフクラブは上記第１のタングステンヒール部材より重量が小さな第２のタングステンヒール部材を具備する技術的特徴１２記載のゴルフクラブセット。
【符号の説明】
【００２７】
１０    アイアン
１２    ヒール
１４    トウ
１６    ホーゼル
１８    バックキャビティ
２０    トップライン
２２    ソール
２４    本体部材
２６    ウエイト部材
２８    トウウエイト部材
３０    ヒールウエイト部材
３２    ホーゼル軸
【図１】
0006367252.tif 000005
【図２】
0006367252.tif 000006
【図３】
0006367252.tif 000007
【図４】
0006367252.tif 000008
【図５】
0006367252.tif 000009
【図６】
0006367252.tif 000010
【図７】
0006367252.tif 000011